【手続補正書】
【提出日】令和3年1月14日(2021.1.14)
【手続補正１】
【補正対象書類名】特許請求の範囲
【補正対象項目名】全文
【補正方法】変更
【補正の内容】
【特許請求の範囲】
【請求項１】
文書をスキャンして得られたスキャン画像から文字列と推認される文字列領域を抽出する抽出手段と、
前記抽出手段が抽出した文字列領域をユーザが選択可能なように前記スキャン画像をプレビュー画面に表示する表示制御手段と、
前記プレビュー画面を介してユーザによって選択された文字列領域の文字列を用いて、前記スキャン画像に関連する情報を生成する生成手段と、
前記ユーザによって選択された文字列領域を特定可能な選択情報を保持する保持手段と、を備え、
前記表示制御手段は、
前記スキャン画像に類似する過去のスキャン画像に関する前記選択情報が前記保持手段に保持されている場合、当該類似する過去のスキャン画像に関する前記選択情報に基づいて、前記抽出手段が抽出した文字列領域のうち選択状態にして表示する対象を決定し、前記対象となるすべての文字列領域が前記プレビュー画面に収まるように前記スキャン画像の表示範囲を決定するとともに、前記対象となるすべての文字列領域を選択状態にして前記プレビュー画面に表示するように制御する
ことを特徴とする装置。
【請求項２】
前記保持手段は、前記過去のスキャン画像に関する前記選択情報と、前記抽出手段が前記過去のスキャン画像において抽出した文字列領域の座標と大きさとを示す領域情報とを対応付けて保持し、
前記表示制御手段は、
前記スキャン画像の領域情報と、前記保持手段に保持されている前記過去のスキャン画像に関する領域情報とを比較し、前記比較の結果に基づいて、前記スキャン画像に類似する過去のスキャン画像に関する前記選択情報が前記保持手段に保持されているか判定する
ことを特徴とする請求項１に記載の装置。
【請求項３】
前記表示制御手段は、
前記選択状態にして表示する各文字列領域の前記スキャン画像上における位置に基づき、前記プレビュー画面に表示する前記スキャン画像の表示範囲を決定する
ことを特徴とする請求項１または請求項２に記載の装置。
【請求項４】
前記表示制御手段は、
前記プレビュー画面がＹ座標方向よりＸ座標方向に長い画面である場合には、Ｙ座標方向を基準とし、前記プレビュー画面がＹ座標方向よりＸ座標方向に長い画面である場合には、Ｘ座標方向を基準とし、前記基準とする座標方向に関して、前記選択状態にして表示する各文字列領域の位置を示す座標を取得し、
前記取得した座標のうちの最大の座標と最小の座標とから前記スキャン画像の前記座標方向における表示範囲を決定する
ことを特徴とする請求項１から請求項３のうちのいずれか１項に記載の装置。
【請求項５】
前記表示制御手段は、
前記選択状態にして表示する各文字列領域のうちのいずれかの文字列領域のフォントサイズが予め定めた閾値以下になると判断した場合には、前記表示範囲内の一部の領域を省略して表示する
ことを特徴とする請求項１から請求項４のうちのいずれか１項に記載の装置。
【請求項６】
前記省略される一部の領域は、文字列領域を含まない領域である
ことを特徴とする請求項５に記載の装置。
【請求項７】
前記省略される一部の領域は、前記選択状態にして表示する各文字列領域を含まない領域である
ことを特徴とする請求項５または請求項６に記載の装置。
【請求項８】
前記表示制御手段は、
前記プレビュー画面がＹ座標方向よりＸ座標方向に長い画面である場合には、前記表示範囲のＸ座標方向の長さが短くなるように前記一部の領域を省略し、前記プレビュー画面がＸ座標方向よりＹ座標方向に長い画面である場合には、前記表示範囲のＹ座標方向の長さが短くなるように前記一部の領域を省略する
ことを特徴とする請求項５から請求項７のうちのいずれか１項に記載の装置。
【請求項９】
前記表示制御手段は、
前記選択状態にして表示させる各文字列領域のうちのいずれかの文字列領域のフォントサイズが予め定めた閾値以下になると判断した場合には、フォントサイズが前記閾値以下である前記文字列領域の文字列を、前記文字列領域とは異なる表示領域であって、前記プレビュー画面において前記スキャン画像の前面に配置される前記表示領域に表示させる
ことを特徴とする請求項１から請求項８のうちのいずれか１項に記載の装置。
【請求項１０】
前記表示領域が、フォントサイズが前記閾値以下であると判断した前記文字列領域の近傍に表示される
ことを特徴とする請求項９に記載の装置。
【請求項１１】
前記表示領域に表示される文字列のフォントサイズが前記閾値より大きい
ことを特徴とする請求項９または請求項１０に記載の装置。
【請求項１２】
前記表示領域が、吹き出しである
ことを特徴とする請求項９から請求項１１のうちのいずれか１項に記載の装置。
【請求項１３】
前記表示制御手段は、
前記選択状態にして表示する文字列領域の近傍に他の文字列領域が存在する場合には、該他の文字列領域も前記プレビュー画面に収まるように前記スキャン画像の表示範囲を決定する
ことを特徴とする請求項１から請求項１２のうちのいずれか１項に記載の装置。
【請求項１４】
前記スキャン画像に関連する情報が、前記スキャン画像のファイル名である
ことを特徴とする請求項１から請求項１３のうちのいずれか１項に記載の装置。
【請求項１５】
文書をスキャンして得られたスキャン画像から文字列と推認される文字列領域を抽出する抽出ステップと、
前記抽出された文字列領域をユーザが選択可能なように前記スキャン画像をプレビュー画面に表示する表示制御ステップと、
前記プレビュー画面を介してユーザによって選択された文字列領域の文字列を用いて、前記スキャン画像に関連する情報を生成する生成ステップと、
前記ユーザによって選択された文字列領域を特定可能な選択情報を記憶手段に格納する格納ステップと、を含み、
前記表示制御ステップでは、
前記スキャン画像に類似する過去のスキャン画像に関する前記選択情報が前記記憶手段に格納されている場合、当該類似する過去のスキャン画像に関する前記選択情報に基づいて、前記抽出された文字列領域から選択状態にして表示する対象を決定し、前記対象となるすべての文字列領域が前記プレビュー画面に収まるように前記スキャン画像の表示範囲を決定するとともに、前記対象となるすべての文字列領域を選択状態にして前記プレビュー画面に表示するように制御する
ことを特徴とする方法。
【請求項１６】
コンピュータを、請求項１から請求項１４のうちのいずれか１項に記載の装置として機能させるためのプログラム。
【請求項１７】
文書をスキャンすることによって得られるスキャン画像から複数の文字列領域を抽出する抽出手段と、
前記スキャン画像に類似する文書において過去に選択された文字列領域に関する情報を判定する判定手段と、
前記抽出手段で抽出された複数の文字列領域のうちの、前記判定手段で判定された情報に基づき特定される文字列領域のすべてが、プレビュー画面内において選択状態で表示されるように、前記スキャン画像を前記プレビュー画面に表示する表示制御手段と、
前記選択状態で表示された前記文字列領域の文字列と、前記プレビュー画面を介してユーザによって選択された文字列領域の文字列とに基づいて、前記スキャン画像に関連する情報を生成する生成手段と、
を備えることを特徴とするシステム。
【手続補正２】
【補正対象書類名】明細書
【補正対象項目名】発明の名称
【補正方法】変更
【補正の内容】
【発明の名称】スキャン画像に関連する情報を設定するための装置、方法、プログラム、およびシステム
【手続補正３】
【補正対象書類名】明細書
【補正対象項目名】０００６
【補正方法】変更
【補正の内容】
【０００６】
本発明による装置は、文書をスキャンして得られたスキャン画像から文字列と推認される文字列領域を抽出する抽出手段と、前記抽出手段が抽出した文字列領域をユーザが選択可能なように前記スキャン画像をプレビュー画面に表示する表示制御手段と、前記プレビュー画面を介してユーザによって選択された文字列領域の文字列を用いて、前記スキャン画像に関連する情報を生成する生成手段と、前記ユーザによって選択された文字列領域を特定可能な選択情報を保持する保持手段と、を備え、前記表示制御手段は、前記スキャン画像に類似する過去のスキャン画像に関する前記選択情報が前記保持手段に保持されている場合、当該類似する過去のスキャン画像に関する前記選択情報に基づいて、前記抽出手段が抽出した文字列領域のうち選択状態にして表示する対象を決定し、前記対象となるすべての文字列領域が前記プレビュー画面に収まるように前記スキャン画像の表示範囲を決定するとともに、前記対象となるすべての文字列領域を選択状態にして前記プレビュー画面に表示するように制御することを特徴とする。